(57)【要約】本発明の発光パネル表示装置は、各走査期間において、選択されたスキャン線を選択電圧に駆動し、非選択のスキャン線を選択電圧より高い非選択電圧に駆動するスキャン駆動回路（３０）と、（３）データ線に、それぞれの表示階調に対応する発光期間中、発光駆動電流を供給するデータ駆動回路（２０）とを有する。そして、データ駆動回路（２０）は、走査期間において、発光期間に対応するそれぞれの発光開始タイミングでデータ線に発光駆動電流の供給を開始し、同じ発光終了タイミングで複数のデータ線への発光駆動電流の供給を終了する。また、スキャン駆動回路は（３０）、発光終了タイミングで選択されたスキャン線を選択電圧より高い発光終了電圧に維持し、選択スキャン線に接続されている発光素子の発光を停止させる。これにより、発光終了タイミングで、電荷充放電による発光中の発光素子の発光継続を防止することができる。【特許請求の範囲】
【請求項１】
発光パネル表示装置において、
複数のスキャン線と、複数のデータ線と、前記スキャン線及びデータ線との交差位置で当該データ線とスキャン線とに接続された容量性発光素子とを有する発光パネルと、
前記スキャン線を順次選択しながら走査し、各走査期間において、選択されたスキャン線を選択電圧に駆動し、非選択のスキャン線を前記選択電圧より高い非選択電圧に駆動するスキャン駆動回路と、
前記データ線に、それぞれの表示階調に対応する発光期間中、発光駆動電流を供給するデータ駆動回路とを有し、
前記データ駆動回路は、前記走査期間において、前記発光期間に対応するそれぞれの発光開始タイミングで前記データ線に前記発光駆動電流の供給を開始し、同じ発光終了タイミングで前記複数のデータ線への前記発光駆動電流の供給を終了し、
前記スキャン駆動回路は、前記発光終了タイミングで前記選択されたスキャン線を前記選択電圧より高い発光終了電圧に維持することを特徴とする発光パネル表示装置。
【請求項２】
請求の範囲第１項において、
前記データ駆動回路は、前記発光終了タイミング後において前記データ線をフローティング状態にすることを特徴とする発光パネル表示装置。
【請求項３】
請求の範囲第１項において、
前記発光終了電圧は、前記非選択電圧と同じであることを特徴とする発光パネル表示装置。
【請求項４】
請求の範囲第１項において、
前記発光駆動電流で駆動された時の前記データ線の発光駆動電圧（Ｖｄ１）から当該発光終了電圧（Ｖｓ１）を減じた電圧差が、前記発光素子の発光閾値電圧より小さいことを特徴とする発光パネル表示装置。
【請求項５】
請求の範囲第１項において、
前記スキャン駆動回路は、前記選択されたスキャン線を前記発光終了電圧に駆動して、当該選択されたスキャン線に接続された発光素子に印加される電圧が発光閾値電圧より小さくなるようにすることを特徴とする発光パネル表示装置。
【請求項６】
請求の範囲第５項において、
前記データ駆動回路及び前記スキャン駆動回路は、前記発光終了タイミング経過後次の走査期間開始前において、前記データ線及び前記スキャン線を一旦基準電圧に駆動して、発光素子の容量を放電することを特徴とする発光パネル表示装置。
【請求項７】
請求の範囲第６項において、
前記基準電圧は、前記スキャン線の選択電圧または非選択電圧であることを特徴とする発光パネル表示装置。
【請求項８】
請求の範囲第６項において、
前記データ駆動回路は、前記発光終了タイミング後において前記データ線を、前記発光駆動電流で駆動された時の発光駆動電圧状態に維持し、
発光駆動電圧（Ｖｄ１）から当該発光終了電圧（Ｖｓ１）を減じた電圧差が、前記発光素子の発光閾値電圧より小さいことを特徴とする発光パネル表示装置。
【請求項９】
発光パネル表示装置において、
複数のスキャン線と、複数のデータ線と、前記スキャン線及びデータ線との交差位置で当該データ線とスキャン線とに接続された容量性発光素子とを有する発光パネルと、
前記スキャン線を順次選択しながら走査し、各走査期間において、選択されたスキャン線を選択電圧に駆動し、非選択のスキャン線を前記選択電圧より高い非選択電圧に駆動するスキャン駆動回路と、
前記データ線に、それぞれの表示階調に対応する発光期間中、発光駆動電流を供給するデータ駆動回路とを有し、
前記データ駆動回路は、前記走査期間において、発光終了タイミングで前記複数のデータ線への前記発光駆動電流の供給を同時に終了し、前記終了タイミングから前記発光期間だけ先行するそれぞれの発光開始タイミングでそれぞれのデータ線に前記発光駆動電流の供給を開始し、
前記スキャン駆動回路は、前記発光終了タイミングで前記選択されたスキャン線を発光終了電圧に維持し、当該発光終了電圧は、前記発光終了タイミングにおいて、前記選択されたスキャン線に接続された発光素子に印加される電圧が当該発光素子の閾値電圧より小さくなるような電圧に設定されていることを特徴とする発光パネル表示装置。
【請求項１０】
請求の範囲第１項において、
前記データ駆動回路は、前記発光終了タイミング後において前記データ線をフローティング状態にすることを特徴とする発光パネル表示装置。
【発明の詳細な説明】
【技術分野】  本発明は、有機エレクトロルミネセンス（ＥＬ）素子などの容量性発光素子を用いた発光パネル表示装置に関し、階調値に対する発光輝度の階調特性を改善して画質を向上させることができる発光パネル表示装置に関する。
【背景技術】  有機ＥＬ素子などの容量性発光素子を用いた発光パネル表示装置は、構造が簡単で薄型化が可能であり、画素に設けられた素子が自ら発光するので液晶表示パネルのようにバックライトを必要とせず、薄型で低消費電力の表示パネルとして期待されている。
図１は、従来の容量性発光素子の発光パネル表示装置の構成図である。かかる発光パネル表示装置については、例えば、特開２０００−１４００３７号公報、特開平１１−３１１９７８号公報に記載されている。有機ＥＬは、図示されるとおり、容量成分とその容量成分に並列なダイオード特性の成分とからなり、直流の発光駆動電圧が素子の陽極（アノード）と陰極（カソード）間に印加されると、容量成分が充電され、電極間の印加電圧が素子に固有の発光閾値電圧を超えると発光層に電流が流れて発光する。
図１の発光パネル表示装置は、発光素子Ａ１１〜Ａｎｎがマトリクス状に配置された発光パネル１０と、発光パネルのデータ線Ｂ１〜Ｂｎを駆動するデータ駆動回路２０と、発光パネルのスキャン線Ｃ１〜Ｃｎを駆動するスキャン駆動回路３０とを有する。データ駆動回路２０は、データ線Ｂ１〜Ｂｎをそれぞれグランドまたは発光駆動電圧Ｖｄ１に駆動するためのスイッチＤ１〜Ｄｎを有する。また、スキャン駆動回路３０は、スキャン線Ｃ１〜Ｃｎをそれぞれ選択レベルのグランドまたは非選択レベルの逆バイアス電圧Ｖｓに駆動するためのスイッチＳ１〜Ｓｎを有する。図１に示された駆動回路内のスイッチ状態によれば、スキャン線Ｃ１がグランドに駆動されて選択状態にあり、それ以外のスキャン線Ｃ２〜Ｃｎが逆バイアス電圧Ｖｓに駆動されて非選択状態にあり、データ線Ｂ１〜Ｂｎがそれぞれ発光駆動電圧Ｖｄ１に駆動されている。この状態において、データ線Ｂ１〜Ｂｎから発光素子Ａ１１〜Ａ１ｎ、スキャン線Ｃ１の経路で発光駆動電流が流れて、選択スキャン線Ｃ１に接続された発光素子Ａ１１〜Ａ１ｎが発光する。スキャン線Ｃ１での発光駆動が完了すると、次のスキャン線Ｃ２がグランドに駆動されて選択され、それ以外のスキャン線Ｃ１，Ｃ３〜Ｃｎが逆バイアス電圧に駆動されて非選択にされ、データ線Ｂ１〜Ｂｎに発光駆動電圧Ｖｄ１が印加される。
各スキャン線が選択状態になる走査期間（水平同期期間）内で、各データ線への発光駆動電圧Ｖｄ１の印加は、入力画像信号の階調に応じた時間により制御される。つまり、データ駆動回路２０の発光駆動電圧Ｖｄ１を印加制御する制御パルスが、画像信号の階調に応じたパルス幅を有し、この画像信号階調値がパルス幅変調された制御パルスに応答して、画像信号階調値に応じた時間、データ線に発光駆動電流が供給されて発光素子が発光する。
図２は、図１の発光パネル表示装置のデータ駆動回路の制御パルスと発光波形の一例を示す図である。走査期間（水平同期期間）Ｈｓｙｎｃにおいて、データ駆動回路２０の駆動スイッチＤ１を発光駆動電圧Ｖｄ１側に切り換え制御する制御パルスＣＰ１と、駆動スイッチＤ２への同様の制御パルスＣＰ２とが、同時に印加開始され、発光素子Ａ１１の階調に対応するパルス幅ＰＷ（Ａ１１）、発光素子Ａ１２の階調に対応するパルス幅ＰＷ（Ａ１２）それぞれに対応する時間後に、それぞれ制御パルスＣＰ１，ＣＰ２が終了する。このように、入力画像信号の階調を振幅変調した制御パルスにより発光させて、発光素子の発光時間を画像信号の階調に対応させることで、画像信号の階調に応じた輝度表示を行う。その場合、制御パルスＣＰ１，ＣＰ２が印加されている期間中、発光素子Ａ１１、Ａ１２が図示されるような発光波形で発光する。
図３は、従来の課題を示す図である。図３（Ａ）は、制御パルスＣＰ１によりデータ線Ｂ１に発光駆動電圧Ｖｄ１が印加されている状態を示し、図３（Ｂ）は、制御パルスＣＰ１が終了し発光駆動電圧Ｖｄ１の印加が終了した後の状態を示す。図３（Ａ）の状態では、選択されたスキャン線Ｃ１は選択レベルのグランドに駆動され、データ線Ｂ１は発光駆動電圧Ｖｄ１に駆動されて、発光電流ＩＬが発光素子Ａ１１を流れる。また、非選択のスキャン線Ｃ２〜Ｃｎは非選択レベルである逆バイアス電圧Ｖｓに駆動され、発光素子Ａ２１〜Ａｎ１のダイオード成分は逆バイアスされ、その容量成分は逆バイアス電圧Ｖｓと発光駆動電圧Ｖｄ１との差電圧（Ｖｓ−Ｖｄ１）により充電される。この状態から、図３（Ｂ）に示したように、データ駆動回路２０において、制御パルスＣＰ１の印加が終了してデータ線Ｂ１がフローティング状態にされると、データ線Ｂ１に接続され非選択だった発光素子Ａ２１〜Ａｎ１に充電されていた電荷が全て選択されていた発光素子Ａ１１に流れ、発光が直ちに終了せずわずかな時間ではあるが発光が継続される。そのため、図２に引用文献番号４０で示されるように、制御パルスＣＰ１，ＣＰ２が終了しているにもかかわらず、上記の電流により発光素子Ａ１１の発光波形はそれに応答して即座に消滅することができない。このような応答性の悪さは、発光素子の階調特性の直線性を悪化させる。つまり、画像信号の階調値に対応する制御パルスのパルス幅よりも発光時間が長くなり、発光輝度が大きくなるのである。上記の制御パルスの印加終了後データ線をフローティング状態にする理由は、発光素子に充電されている電荷が無駄に放電されないようにするためと考えられる。
かかる点を解決するために、前述の先行特許（特開２００２−１４００３７号公報）では、データ駆動回路２０にグランドと発光駆動電圧Ｖｄ１に加えて、第３の電圧端子を設け、データ線Ｂ１の発光駆動電圧Ｖｄ１の印加が終了した後、データ線Ｂ１をフローティング状態にするのではなく、データ線Ｂ１を第３の電圧端子に接続する。そして、この第３の電圧Ｖ３は発光閾値電圧Ｖｔｈとの間に、Ｖ３＜Ｖｔｈの関係が成り立つ電位レベルにされる。このようにして、データ線Ｂ１への発光駆動電圧Ｖｄ１の印加により発光素子Ａ１１への発光駆動電流ＩＬの供給が終了した時点で、データ線Ｂ１を第３の電圧に固定して、発光素子Ａ１１に他の発光素子からの放電電荷が流れないようにすることができる。
【発明の開示】
しかしながら、上記の駆動方法によれば、図２の制御パルスＣＰ１，ＣＰ２の印加が終了した時点から水平同期期間Ｈｓｙｎｃの終了時点までデータ線Ｂ１を第３の電圧Ｖ３で駆動する必要があり、低階調駆動の場合などは、それに伴う消費電流が増大するという課題がある。しかも、全てのデータ線Ｂ１〜Ｂｎを第３の電圧Ｖ３に駆動する必要があり、それだけ大きな消費電流を伴う。更に、データ駆動回路２０用に第３の電圧を生成する電圧発生回路が必要になり、データ駆動回路の回路規模が大きくなるという課題がある。
そこで、本発明の目的は、階調特性の直線性の劣化を防止した発光パネル表示装置を提供することにある。
更に、本発明の別の目的は、消費電力を節約しつつ階調特性の直線性の劣化を防止した発光パネル表示装置を提供することにある。
本発明の第１の側面は、発光パネル表示装置において、（１）複数のスキャン線と、複数のデータ線と、前記スキャン線及びデータ線との交差位置で当該データ線とスキャン線とに接続された容量性発光素子とを有する発光パネルと、（２）前記スキャン線を順次選択しながら走査し、各走査期間において、選択されたスキャン線を選択電圧に駆動し、非選択のスキャン線を前記選択電圧より高い非選択電圧に駆動するスキャン駆動回路と、（３）前記データ線に、それぞれの表示階調に対応する発光期間中、発光駆動電流を供給するデータ駆動回路とを有する。そして、前記データ駆動回路は、前記走査期間において、前記発光期間に対応するそれぞれの発光開始タイミングで前記データ線に前記発光駆動電流の供給を開始し、同じ発光終了タイミングで前記複数のデータ線への前記発光駆動電流の供給を同時に終了する。また、前記スキャン駆動回路は、前記発光終了タイミングで前記選択されたスキャン線を前記選択電圧より高い発光終了電圧に駆動し、前記選択スキャン線に接続されている発光素子の発光を停止させる。
第１の側面によれば、全ての発光素子の発光終了タイミングを同じタイミングにし、その発光終了タイミングで選択されていたスキャン線を選択電圧より高い発光終了電圧に上昇させて、発光素子への発光閾値電圧以上の印加をなくして発光を停止させる。したがって、階調特性を改善することができる。また、選択スキャン線だけ駆動すれば良いのでそれに伴う消費電力は少ない。
上記本発明の第１の側面の好ましい実施例では、前記データ駆動回路は、前記発光終了タイミング後において前記データ線をフローティング状態にする。これにより、データ線を駆動する必要がなく、消費電力を節約することができる。
【図面の簡単な説明】  図１は、従来の容量性発光素子の発光パネル表示装置の構成図である。
図２は、図１の発光パネル表示装置のデータ駆動回路の制御パルスと発光波形の一例を示す図である。
図３は、従来の課題を示す図である。
図４は、本実施の形態における発光パネル表示装置の構成図である。
図５は、本実施の形態における発光パネル表示装置の構成図である。
図６は、本実施の形態における発光パネル表示装置の構成図である。
図７は、本実施の形態における発光パネル表示装置の駆動波形例を示す図である。
図８は、本実施の形態における発光終了タイミングでの動作を説明するための図である。
図９は、実施の形態の変形例を示す駆動波形図である。
図１０は、本実施の形態における制御パルス発生回路の図である。
図１１は、実施の形態の変形例（２）を示す駆動波形図である。
図１２は、実施の形態の変形例（３）を示す駆動波形図である。
図１３は、実施の形態の変形例（４）を示す駆動波形図である。
【発明を実施するための最良の形態】  以下、図面に従って本発明の実施の形態を説明する。
図４、図５、図６は、本実施の形態における発光パネル表示装置の構成図である。これらの図には、走査期間中の異なる時間における駆動回路のスイッチ状態をそれぞれ示している。図７は、本実施の形態における発光パネル表示装置の駆動波形例を示す図である。図４〜６に示されるように、発光パネル表示装置は、データ線Ｂ１〜Ｂｎとスキャン線Ｃ１〜Ｃｎとの全ての交差点に接続される発光素子Ａ１１〜Ａｎｎを有する。更に、発光パネル表示装置は、制御パルスＣＰ１〜ＣＰｎを生成する制御パルス発生回路５０を有し、その制御パルスにより、データ駆動回路２０内の、データ線Ｂ１〜Ｂｎを発光駆動電圧Ｖｄ１に接続して発光駆動電流を供給するスイッチＤ１〜Ｄｎが制御される。この制御パルス発生回路については後で詳述する。また、スキャン駆動回路３０は、選択電圧を供給するグランド端子ＧＮＤと、非選択電圧端子Ｖｓと、発光終了電圧端子Ｖｓ１とを有し、スキャン線Ｃ１〜Ｃｎを、グランド電位ＧＮＤ、選択電圧Ｖｓ、発光終了電圧Ｖｓ１にそれぞれ駆動するスイッチＳ１〜Ｓｎを有する。
本実施の形態によれば、データ駆動回路２０は、走査期間において、同じ発光終了タイミングで複数のデータ線Ｂ１〜Ｂｎへの発光駆動電流の供給を同時終了し、発光終了タイミングから発光期間だけ先行するタイミングでそれぞれのデータ線Ｂ１〜Ｂｎを発光駆動電圧Ｖｄ１に駆動してデータ線Ｂ１〜Ｂｎに発光駆動電流の供給を開始する。つまり、発光駆動電流の供給開始タイミングは、各発光素子の階調値に応じて異なり、発光駆動電流の供給は全て同じ発光終了タイミングで終了する。また、スキャン駆動回路３０は、走査期間において、選択スキャン線Ｃ１を選択電圧Ｖｓに駆動し、発光終了タイミングで選択されたスキャン線Ｃ１を選択電圧Ｖｓより高い発光終了電圧Ｖｓ１に駆動する。それにより、発光終了タイミングで発光素子の発光が停止する。つまり、発光終了タイミングにおいて、選択スキャン線Ｃ１に接続されていた発光素子に印加される電圧が、発光素子の発光閾値電圧Ｖｔｈより小さくなるように、前記発光終了電圧Ｖｓ１が設定されている。
以下、図４〜７を参照しながら、本実施の形態における発光パネル表示装置の動作について説明する。図７において、垂直同期期間Ｖｓｙｎｃ内に各スキャン線の走査期間に対応する水平同期期間Ｈｓｙｎｃがスキャン線の数だけ含まれる。最初の走査期間Ｈｓｙｎｃ１にて、時間ｔ１０でスキャン線Ｃ１がグランド端子に接続されて選択され、それ以外のスキャン線Ｃ２〜Ｃｎは全て逆バイアス電圧Ｖｓに駆動される。この状態で、データ線Ｂ１〜Ｂｎは、グランド電位またはフローティング状態ＦＬにされている。
今仮に、発光素子Ａ１１は階調値が高く、発光素子Ａ１２〜Ａ１ｎはそれより階調値が低いものとする。そこで、図４に示されるように、時間ｔ１２にて、制御パルスＣＰ１がＨレベルになりデータ線Ｂ１が発光駆動電圧Ｖｄ１に駆動されて発光駆動電流ＩＬの供給が開始される。走査期間Ｈｓｙｎｃの開始から発光開始タイミングｔ１２までの時間は、最大階調値（例えば２５６）から発光素子Ａ１１の階調値を減じた値に対応して決定される。そして、時間ｔ１２〜ｔ１３の間、図４の状態が継続する。
次に、図５に示されるように、時間ｔ１２後の所定の時間ｔ１３にて、制御パルスＣＰ２〜ＣＰｎがＨレベルになりデータ線Ｂ２〜Ｂｎが発光駆動電圧Ｖｄ１に駆動されて発光駆動電流ＩＬの供給が開始される。なお、所定の時間ｔ１３は、各データ線Ｂ２〜Ｂｎに接続される発光素子Ａ１２〜Ａ１ｎの階調値に対応したタイミングである。時間ｔ１３〜ｔ１１の間、図５の状態が維持される。この間、発光駆動電流ＩＬの供給により発光素子Ａ１１〜Ａ１ｎが発光しており、非選択スキャン線Ｃ２〜Ｃｎに接続された発光素子は、逆バイアス電圧Ｖｓと発光駆動電圧Ｖｄ１との差電圧に応じてそれぞれ充電される。つまり、制御パルスＣＰ１〜ＣＰｎのパルス幅ＰＷは、それぞれの発光素子の階調値に対応しており、制御パルスの開始エッジはそれぞれの発光素子の階調値に対応したタイミングｔ１２，ｔ１３であり、制御パルスの終了エッジは全ての発光素子で同じタイミングｔ１１になる。なお、非発光素子に対応するデータ線はグランド電位またはフローティングのままである。
そして、図６に示されるように、発光終了タイミングｔ１１にて、制御パルス生成回路５０は、全ての制御パルスＣＰ１〜ＣＰｎをＬレベルにし、全てのデータ線Ｂ１〜Ｂｎへの発光駆動電圧Ｖｄ１及び発光駆動電流ＩＬの供給が終了する。すなわち、スイッチＤ１〜Ｄｎはハイインピーダンス状態にされ、データ線Ｂ１〜Ｂｎはフローティング状態ＦＬにされる。更に、発光終了タイミングｔ１１で、選択されていたスキャン線Ｃ１は、スキャン駆動回路３０により、グランド電位から、それより高い発光終了電圧Ｖｓ１に駆動される。これにより、選択スキャン線に接続されている発光素子の発光は停止する。
図８は、本実施の形態における発光終了タイミングでの動作を説明するための図である。図８（Ａ）は発光終了タイミングｔ１１での状態を示し、スイッチＤ１が制御パルスＣＰ１のＬレベルによりオフ状態になり、データ線Ｂ１がフローティング状態にされている。そして、非選択スキャン線Ｃ２〜Ｃｎは全て非選択レベルの逆バイアス電圧Ｖｓに駆動され、選択スキャン線Ｃ１は発光終了電圧Ｖｓ１に駆動されている。図８（Ｂ）に示される波形図に示されるように、発光終了電圧Ｖｓ１は、選択されていた発光素子Ａ１１が発光しないような電圧レベルに設定されていて、非選択状態であった他の素子Ａ２１〜Ａｎ１から選択状態だった素子Ａ１１への破線のような充電電流による発光継続は回避される。つまり、発光終了電圧Ｖｓ１は、選択されていた発光素子Ａ１１に発光に必要な閾値電圧以上が印加されないような電圧レベルに設定される。
より具体的には、発光中、データ線Ｂ１は発光駆動電圧Ｖｄ１に駆動されていて、非選択スキャン線Ｃ２〜Ｃｎは逆バイアス電圧Ｖｓに駆動されている。そして、発光終了タイミングｔ１１にてデータ線Ｂ１がフローティング状態にされ、選択スキャン線Ｃ１は選択電圧ＧＮＤより高い発光終了電圧Ｖｓ１に駆動される。そこで、選択されていた発光素子Ａ１１の容量と、非選択状態の発光素子Ａ２１〜Ａｎ１の並列容量とが、逆バイアス電圧Ｖｓと発光終了電圧Ｖｓ１との間に直列に接続された状態となる。したがって、選択発光素子Ａ１１の容量値と非選択発光素子Ａ２１〜Ａｎ１の並列容量値とに反比例して、差電圧Ｖｓ−Ｖｓ１がそれぞれの容量に印加されることになる。それに伴って、図８（Ａ）に破線で示されるような若干の電荷の移動が発生する。つまり、図８（Ｂ）に示される破線Ｖｓ１のように、発光終了電圧Ｖｓ１のレベルが発光駆動電圧Ｖｄ１より低い場合は、容量値に応じてフローティング状態のデータ線Ｂ１は逆バイアス電圧Ｖｓ側に上昇する。また、実線のように発光終了電圧Ｖｓ１が発光駆動電圧Ｖｄ１より高い場合も、容量値に応じてフローティング状態のデータ線Ｂ１は上昇する。しかし、いずれの場合でも、容量間の電荷の移動によっても、発光素子Ａ１１に印加される電圧がその発光閾値電圧を超えなければ発光しない。そのような状態になるように、発光終了電圧Ｖｓ１が設定される。
発光終了電圧Ｖｓ１は、発光駆動電圧Ｖｄ１との差が発光閾値電圧Ｖｔｈを超えないようにすることが一つのめやすとなる。また、発光終了電圧Ｖｓ１と非選択スキャン線の逆バイアス電圧Ｖｓとの差が、発光閾値電圧Ｖｔｈより小さければ、選択されていた発光素子Ａ１１に発光閾値電圧以上が印加されることはない。
このように、選択スキャン線に接続される発光素子への発光電流の供給が同時に終了する発光終了タイミングで、選択スキャン線Ｃ１をグランド電位より高い発光終了電圧Ｖｓ１に駆動することで、非選択スキャン線と選択スキャン線との間の電圧差（Ｖｓ−Ｖｓ１）が従来例の（Ｖｓ−ＧＮＤ）より小さくなり、従来例のように、非選択の発光素子から選択されていた発光素子への大きな電荷の移動はなくなり、発光終了タイミング後に選択されていた発光素子が発光を継続することは回避される。
図７に戻り、時間ｔ２０から次の走査期間Ｈｓｙｎｃが開始され、次のスキャン線Ｃ２がグランド電位に駆動され、選択されていたスキャン線Ｃ１は発光終了電圧Ｖｓ１から非選択レベルの逆バイアス電圧Ｖｓに駆動される。他の非選択スキャン線Ｃ３〜Ｃｎは逆バイアス電圧Ｖｓに維持されたままである。そして、各データ線には、発光素子の階調値に応じた発光開始タイミングで発光駆動電流が供給開始され、発光終了タイミングｔ２１で全てのデータ線への発光駆動電流の供給は停止する。
このように、本実施の形態によれば、発光終了後に全てのデータ線を第３の電圧に駆動する必要がなく、１本の選択スキャン線をグランド電位から、グランド電位と次の非選択電位の逆バイアス電圧との間の発光終了電圧Ｖｓ１に駆動するだけであるので、無駄に消費電流を消費することはない。
図９は、上記の実施の形態の変形例（１）を示す駆動波形図である。図７と異なる点は、発光終了タイミングｔ１１にて、選択されているスキャン線Ｃ１が非選択レベルである逆バイアス電圧Ｖｓに駆動される点だけである。このように、選択スキャン線Ｃ１を選択レベルのグランド電位から非選択レベルの逆バイアス電圧Ｖｓに駆動することで、選択されていた発光素子Ａ１１の容量と非選択の発光素子Ａ２１〜Ａｎ１の並列発光素子とは逆バイアス電圧Ｖｓを介して短絡されることになり、フローティングになるデータ線Ｂ１と選択スキャン線Ｃ１との間には、発光素子Ａ１１の発光閾値電圧以上の電圧になることはない。
図１０は、本実施の形態における制御パルス発生回路の図である。制御パルス生成回路は、走査期間の開始を制御する水平同期信号Ｈｓｙｎｃに応答してクロックＣＬＫのカウントを開始するカウンタ５０１と、カウンタ値と最大階調値２５６から入力階調値ＤＩＮを減算した値とを比較し、一致したタイミングでスタートパルスＳＴを生成する一致回路５０２と、スタートパルスＳＴに応答して制御パルスＣＰを開始し、水平同期信号Ｈｓｙｎｃの終了に対応する終了パルスＥＮＤに応答して制御パルスＣＰを終了するフリップフロップ５０３とを有する。
図１０（Ｂ）には、その動作波形が示されている。水平同期信号Ｈｓｙｎｃの立ち上がりエッジに応答してカウンタ５０１がクロックＣＬＫをカウント開始する。そして、カウント値が最大階調値２５６から入力階調値ＤＩＮを減じた値になると、スタートパルスＳＴが生成され、制御パルスＣＰがＨレベルになる。そして、発光終了タイミングと一致する終了パルスＥＮＤに応答して制御パルスＣＰがＬレベルになる。このように、制御パルスＣＰのパルス幅は入力階調値ＤＩＮに対応する長さとなり、全てのデータ線への制御パルスＣＰが一斉にＬレベルになる。なお、クロックＣＬＫの周波数は、水平同期信号Ｈｓｙｎｃのパルス幅期間でクロック数が最大階調値２５６になるように設定されているものとする。
このように図１０の制御パルス発生回路５０を使用することにより、選択スキャン線に接続される全ての発光素子の発光の終了を同じタイミングにそろえることができ、しかも、各発光素子を入力階調値ＤＩＮに対応した時間だけ発光させることができる。
図１１は、実施の形態の変形例（２）を示す駆動波形図である。この駆動方法において、図７の駆動方法と異なるところは、発光終了タイミングｔ１１で選択スキャン線Ｃ１を発光終了電圧Ｖｓ１に駆動した後、次の走査期間Ｈｓｙｎｃ２が始まる前の時間ｔ１４で全てのスキャン線Ｃ１〜Ｃｎを基準電位であるグランド電位に駆動し、同時に全てのデータ線Ｂ１〜Ｂｎもグランド電位に駆動することである。この全てのスキャン線と全てのデータ線をグランド電位に駆動することで、全ての発光素子の容量を放電させてオールリセットすることができる。そのために、データ駆動回路２０には、データ線Ｂ１〜Ｂｎをグランド側に接続する制御パルス（図示せず）が供給される。
図１２は、実施の形態の変形例（３）を示す駆動波形図である。この例は、図１１の例と同様に、次の走査期間Ｈｓｙｎｃが開始する直前で、全ての発光素子の容量をオールリセットする。但し。そのオールリセットのための基準電圧は、スキャン線の非選択レベルＶｓである。つまり、オールリセットのために、全てのスキャン線を非選択レベルＶｓに駆動し、全てのデータ線も同じ電圧Ｖｓに駆動する。これにより、電圧源Ｖｓを介して全ての発光素子の容量が短絡されて放電される。
図１３は、実施の形態の変形例（４）を示す駆動波形図である。この変形例は、発光終了タイミングｔ１１で、選択スキャン線Ｃ１が発光終了電圧Ｖｓ１に駆動されるが、発光駆動されていたデータ線Ｂ１は発光駆動電圧Ｖｄ１を印加したまま維持される。但し、この場合、発光終了電圧Ｖｓ１と発光駆動電圧Ｖｄ１との差電圧が発光素子の発光閾値電圧Ｖｔｈを超えないようにすることが必要である。すなわち、Ｖｓ１−Ｖｄ１＜Ｖｔｈである。このような電圧関係にすることで、発光中の発光素子は、選択スキャン線Ｃ１の発光終了電圧Ｖｓ１への駆動に応答して、その発光を一斉に停止する。
尚、この例の場合、走査期間Ｖｓｙｎｃの間、全く発光しない発光素子が存在すると、それに対応するデータ線はグランド電位またはフローティング状態のままである。データ線がグランド電位に維持されている場合は、選択スキャン線Ｃ１を発光終了電圧Ｖｓ１に駆動しても、その発光素子は逆バイアスされるのみであり、発光することはない。また、データ線がフローティングに維持されている場合は、それらのフローティングのデータ線は、非選択スキャン線の逆バイアス電圧Ｖｓと選択スキャン線のグランド電位とを、選択発光素子の容量と非選択発光素子の並列容量とに応じて分割された電位になっている。その状態から発光終了タイミングｔ１１で選択スキャン線Ｃ１を発光終了電圧Ｖｓ１に駆動すると、それに応じて、フローティングのデータ線の電位も変化する。このように電位が変化しても、そのデータ線に接続される発光素子が発光しないように、発光終了電圧Ｖｓ１を適切なレベルに設定する必要がある。または、非発光のデータ線を発光終了タイミングｔ１１で発光駆動電圧Ｖｄ１に駆動してもよい。この場合、選択スキャン線Ｃ１の電圧は発光終了電圧Ｖｓ１は、Ｖｓ１−Ｖｄ１＜Ｖｔｈに設定されているので、その非発光の発光素子が発光することはない。
図１３の駆動方法において、発光終了タイミングｔ１１で、選択スキャン線Ｃ１を発光終了電圧Ｖｓ１ではなく、非選択レベルの逆バイアス電圧Ｖｓに駆動してもよい。その場合は、Ｖｓ−Ｖｄ１＜Ｖｔｈでなければならない。但し、非選択レベルＶｓは、発光駆動電圧Ｖｄ１との関係で、非選択スキャン線の発光素子が全て逆バイアスになるような電圧に設定されている。従って、このように駆動することで、選択スキャン線の全ての発光素子は、非選択スキャン線の発光素子と同様に逆バイアス状態にされる。
以上説明してきた本実施の形態によれば、全てのデータ線への発光駆動電流の供給が同時に終了し、その同時発光終了タイミングで選択スキャン線だけを発光終了電圧または非選択レベルに駆動するだけであるので、従来例に比較して駆動電流を節約することができる。
【産業上の利用可能性】  本発明によれば、同じ選択スキャン線に接続される発光素子への発光電流の供給を一斉に終了させ、その時に選択スキャン線を発光終了電圧Ｖｓ１または非選択レベルの逆バイアス電圧Ｖｓに駆動させることで、発光中の発光素子の発光が不必要に継続することが防止され、階調特性が改善される。
【図１】
2005104073.tif 000002
【図２】
2005104073.tif 000003
【図３】
2005104073.tif 000004
【図４】
2005104073.tif 000005
【図５】
2005104073.tif 000006
【図６】
2005104073.tif 000007
【図７】
2005104073.tif 000008
【図８】
2005104073.tif 000009
【図９】
2005104073.tif 000010
【図１０】
2005104073.tif 000011
【図１１】
2005104073.tif 000012
【図１２】
2005104073.tif 000013
【図１３】
2005104073.tif 000014
【国際調査報告】
2005104073.tif 000015
2005104073.tif 000016
2005104073.tif 000017
2005104073.tif 000018